(57)【特許請求の範囲】
【請求項１】
ゲーム機の筐体に開閉可能に装着された中扉を該筐体に対し施錠し、該中扉の前面に開閉可能に装着された前扉を該中扉に対し施錠するゲーム機の施錠装置であって、
該中扉に取り付けられる鉤部材ユニットとシリンダ錠を有して該前扉に取り付けられるシリンダ錠ユニットとの２つのユニットに分けて施錠装置が構成され、
該鉤部材ユニットの基枠体の上部と下部に中扉施錠用の鉤部材が傾動可能に枢支され、
上下の該鉤部材が該基枠体に沿って摺動可能に配設された連結杆により連結され、
該連結杆には前記シリンダ錠の錠軸に固定される後記係合部材と係合可能な係合部が設けられ、
前扉施錠用の鉤部を設けた前扉用施錠杆が該鉤部材ユニットの基枠体内に摺動可能に配設され、
前記シリンダ錠ユニットの基枠の取付板に該シリンダ錠が、該シリンダ錠の背面側に突設した錠軸を該基枠の内側に挿入して取り付けられ、
該シリンダ錠ユニットの基枠に、前記前扉の閉鎖時に前記前扉施錠用の鉤部が係止される係止部が設けられ、
該シリンダ錠ユニットは該前扉の内側に、該シリンダ錠の前面を該前扉の前面に露出して取り付けられ、
該シリンダ錠の解錠操作時に回動する該錠軸には、解錠時に該連結杆または該前扉用施錠杆に係合する係合部材が固定され、
該係合部材には、該中扉の解錠操作時に該連結杆の係合部と係合する第１の係合凸部が突設され、且つ該係合部材には、該前扉の解錠操作時に該前扉用施錠杆の係合部と係合する第２の係合凸部が突設され、
前記中扉施錠用の前記鉤部材の連結杆に、施錠状態での該連結杆の解錠方向への摺動を阻止する第１ロック部材と第２ロック部材が共に回動可能に枢支され、該第１ロック部材には、中扉の閉鎖時に筐体側の固定部に当接する当て部が設けられ、該第２ロック部材には、施錠状態で前記係合部材の該第１の係合凸部に当接して該連結杆の解錠方向への摺動を阻止する係止部が設けられ、
該第１ロック部材と第２ロック部材間にコイルばねが掛け渡され、前記前扉を閉じたとき、該第１の係合凸部が該第２ロック部材に当接した際、該第２ロック部材のみが逃げて回動し、該第１の係合凸部を正常位置に進入させるように構成され、
前扉施錠用の鉤部を設けた前記前扉用施錠杆には、施錠状態での前扉用施錠杆の解錠方向への摺動を阻止するロック部材が枢支され、施錠状態で前記係合部材の第２の係合凸部に当接して該前扉用施錠杆の解錠方向への摺動を阻止する係止部が該ロック部材に設けられたことを特徴とするゲーム機の施錠装置。
【発明の詳細な説明】
【技術分野】
【０００１】
本発明は、パチンコ機、スロットマシン等のゲーム機の前扉と中扉を筐体に対し施錠する施錠装置に関し、特に、前扉側にシリンダ錠と受け金具などをユニット化したシリンダ錠ユニットを取り付け、中扉側に鉤部材と連結杆などをユニット化した鉤部材ユニットを取り付けた構造のゲーム機の施錠装置に関する。
【背景技術】
【０００２】
従来、パチンコ機、スロットマシンなどのゲーム機の前扉を筐体に対し施錠する装置として、取付板と支持板を断面Ｌ形に成形した縦長の基枠体の内側に、連結杆が摺動可能に配設され、支持板の上部と下部に鉤部材が傾動可能に枢支され、連結杆の上下端部が鉤部材に連結され、取付板の中間部にシリンダ錠がその錠軸を取付板に設けた孔から内側に差し込むように取付けられ、錠軸の先端に連結杆と係合するカム板が固定されてなる施錠装置が、一般に使用されている（例えば下記特許文献１を参照）。また、パチンコ機の施錠装置として、鉤部を上下に設けたガラス枠用施錠杆を基枠体内に摺動可能に配設し、前扉に開閉可能に配設されたガラス枠と筐体に開閉可能に装着された前扉の両方を施錠・解錠する構造の施錠装置が、下記特許文献２により知られている。
【特許文献１】実公昭５７−８８６７号公報
【特許文献２】特許第３０３０６１３号公報
【発明の開示】
【発明が解決しようとする課題】
【０００３】
この種のガラス枠用施錠杆を基枠体内に、前扉用の鉤部材及び連結杆と共に配設した施錠装置は、前扉の内側に鉤部材を筐体側に突出した状態で、基枠体を縦に取り付け、鉤部材が係止可能な受け金具を筐体側の対応位置に取り付け、取付板に固定したシリンダ錠の正面を前扉の正面に現して装着される。このため、前扉前面側に取り付けられたガラス枠は、シリンダ錠を避けた形状に、つまりシリンダ錠の先端を露出した形状に形成する必要があり、ガラス枠の設計形状の自由度が制限されるという課題があった。
【０００４】
また、周知のように、パチンコ機、スロットマシンの前扉には、装飾用プラスチック、照明装飾器具など各種の電気部品、装飾部品、操作部品などが装着されているため、施錠装置を取り付けるためのスペースが狭く制限され、さらに、各種の電気部品等を取り付けた前扉は重量が重くなり、開閉の操作性を考慮して、前扉をできるだけ軽くするように、前扉の軽量化が要望されていた。
【０００５】
本発明は、上記の点に鑑みなされたもので、扉の軽量化を図ると共に、扉の開閉の操作性を向上させることができるゲーム機の施錠装置を提供することを目的とする。
【課題を解決するための手段】
【０００６】
このために、本発明の請求項１のゲーム機の施錠装置は、ゲーム機の筐体に開閉可能に装着された中扉を該筐体に対し施錠し、該中扉の前面に開閉可能に装着された前扉を該中扉に対し施錠するゲーム機の施錠装置であって、該中扉に取り付けられる鉤部材ユニットとシリンダ錠を有して該前扉に取り付けられるシリンダ錠ユニットとの２つのユニットに分けて施錠装置が構成され、該鉤部材ユニットの基枠体の上部と下部に中扉施錠用の鉤部材が傾動可能に枢支され、上下の該鉤部材が該基枠体に沿って摺動可能に配設された連結杆により連結され、該連結杆には前記シリンダ錠の錠軸に固定される後記係合部材と係合可能な係合部が設けられ、前扉施錠用の鉤部を設けた前扉用施錠杆が該鉤部材ユニットの基枠体内に摺動可能に配設され、
前記シリンダ錠ユニットの基枠の取付板に該シリンダ錠が、該シリンダ錠の背面側に突設した錠軸を該基枠の内側に挿入して取り付けられ、該シリンダ錠ユニットの基枠に、前記前扉の閉鎖時に前記前扉施錠用の鉤部が係止される係止部が設けられ、該シリンダ錠ユニットは該前扉の内側に、該シリンダ錠の前面を該前扉の前面に露出して取り付けられ、
該シリンダ錠の解錠操作時に回動する該錠軸には、解錠時に該連結杆または該前扉用施錠杆に係合する係合部材が固定され、該係合部材には、該中扉の解錠操作時に該連結杆の係合部と係合する第１の係合凸部が突設され、且つ該係合部材には、該前扉の解錠操作時に該前扉用施錠杆の係合部と係合する第２の係合凸部が突設され、前記中扉施錠用の前記鉤部材の連結杆に、施錠状態での該連結杆の解錠方向への摺動を阻止する第１ロック部材と第２ロック部材が共に回動可能に枢支され、該第１ロック部材には、中扉の閉鎖時に筐体側の固定部に当接する当て部が設けられ、該第２ロック部材には、施錠状態で前記係合部材の該第１の係合凸部に当接して該連結杆の解錠方向への摺動を阻止する係止部が設けられ、該第１ロック部材と第２ロック部材間にコイルばねが掛け渡され、前記前扉を閉じたとき、該第１の係合凸部が該第２ロック部材に当接した際、該第２ロック部材のみが逃げて回動し、該第１の係合凸部を正常位置に進入させるように構成され、前扉施錠用の鉤部を設けた前記前扉用施錠杆には、施錠状態での前扉用施錠杆の解錠方向への摺動を阻止するロック部材が枢支され、施錠状態で前記係合部材の第２の係合凸部に当接して該前扉用施錠杆の解錠方向への摺動を阻止する係止部が該ロック部材に設けられたことを特徴とする。
【発明の効果】
【０００９】
このように構成された施錠装置は、筐体の前面に中扉が開閉可能に取り付けられ、中扉の前面に前扉（例えばガラスが嵌め込まれたガラス枠状の前面扉）が開閉可能に取り付けられたゲーム機に装着されて使用される。鉤部材ユニットは、その鉤部材を筐体側に向けて基枠体の取付板を中扉に固定して取り付けられ、筐体の内側の対応位置に鉤部材が係止される受け金具が固定される。このとき、鉤部材ユニットの前扉用施錠杆の複数の鉤部は前面につまり前扉側に突出すように位置する。さらに、シリンダ錠ユニットが、前扉の内側に、シリンダ錠を前面に露出して取り付けられ、このシリンダ錠ユニットに設けた複数の係止部が鉤部材ユニットの鉤部に対応した位置になるように取り付けられる。
【００１０】
この施錠装置は、鉤部材ユニットとシリンダ錠ユニットから構成され、中扉に連結杆と鉤部材および前扉用施錠杆を設けた鉤部材ユニットが取り付けられ、前扉にシリンダ錠を取り付けたシリンダ錠ユニットが取り付けられるように、２つのユニットに分けて構成される。このため、従来の施錠装置のように受け金具以外の全ての部材を取り付けた施錠装置本体を前面枠の内側に取り付ける場合に比べ、鉤部材ユニットの大きさ及び重さを、小形でより軽量とすることができる。これにより、中扉の全重量を軽量化することができ、比較的小さい操作力で中扉及び前扉の開閉を楽に行うことができる。
【００１１】
また、シリンダ錠を有するシリンダ錠ユニットはゲーム機の前面の前扉にそのシリンダ錠を前面に露出して取り付けられるから、前面枠の内側にガラス枠を開閉可能に取り付けた従来のパチンコ機のように、シリンダ錠の位置を外すためにガラス枠を小形にする必要はなく、ゲーム機の前扉は内側にガラス枠を装着しながら中扉及び筐体の前面を大きく覆うように大型に形成することも可能となり、前扉の設計の自由度を向上させることができる。
【発明を実施するための最良の形態】
【００１２】
以下、本発明の実施形態を図面に基づいて説明する。図１はゲーム機用の施錠装置の鉤部材ユニット１の正面図、図２はその左側面図、図３はその右側面図、図４はその分解図を示している。この鉤部材ユニット１は、ゲーム機の筐体４０の前面に開閉可能に装着された中扉４１に取り付けられるユニットである。図において、２は鋼板をプレス加工して形成された縦長の基枠体であり、横断面を略Ｌ字状に成形して一方を取付板３とし他方を支持板４として形成されている。取付板３には複数の取付孔が穿設され、さらに、上部と下部には、支持板４側にかけて開口部３ａが形成され、その開口部３ａから鉤部材５，６が背面側に突出し且つ傾動可能に軸支されている。図４に示すように、支持板４の中間部には、後述の係合部材３７が進入するために開口凹部４ａが形成され、また、支持板４の開口凹部４ａの少し上方には、内側に切り起こした切り起し部４ｂが設けられ、後述の連結杆７と前扉用施錠杆１０を摺動可能にガイドする構造である。
【００１３】
基枠体２の支持板４の上部と下部には、軸ピン５ａ，６ａによって鉤部材５，６が各々下側に傾動可能に軸支され、取付板３の開口部３ａから背面側に突出して配設されている。鉤部材５、６はフック状に形成され、その係止凹部を上側にして傾動可能に軸支される。また、図４に示すように、基枠体２の支持板４の内側には連結杆７が切り起し部４ｂによって保持されて上下摺動可能に配設され、連結杆７の上部は連結ピン５ｂにより鉤部材５の端部に連結され、連結杆７の下部は連結ピン５ｂにより鉤部材６の端部に連結される。さらに、連結杆７にはその中間部に長孔７ｂが穿設され、その長孔７ｂにガイドピン８が挿通されて支持板４に固定され、これによって、連結杆７はガイドピン８にガイドされて、取付板３上をその長手方向（縦方向）に沿って上下に摺動可能とされる。
【００１４】
さらに、連結杆７の中間部には係合部７ａが設けられ、この係合部７ａは、後述のシリンダ錠ユニット３０のシリンダ錠３６の錠軸３６ａに固定される係合部材３７上の係合凸部３８と係合可能とされる。さらに、図４に示すように、連結杆７の中間部には、第１ロック部材９と第２ロック部材１９が軸ピン９ｂにより枢支されている。第１ロック部材９と第２ロック部材１９は、施錠時において連結杆７が解錠側に移動することを阻止するために、連結杆７に軸支され、第１ロック部材９には、中扉４１の閉鎖時に筐体４０側の固定部４５に当接する当て部９ａが設けられている。さらに、第２ロック部材１９には、後述の係合部材３７の係合凸部３８に係合して連結杆７の移動を阻止する係止部１９ａが上方に向けて突設されている。
【００１５】
上記当て部９ａは基枠体２の取付板３に設けたスリットから背面側に突き出し可能とされ、コイルばね２１によって第１ロック部材９が図２の反時計方向に付勢されることにより、当て部９ａは取付板３のスリットから背面側に突出する。なお、図１０に示すように、筐体４０側には、この第１ロック部材９の当て部９ａが当接するための固定部４５が対応位置に設けられている。
【００１６】
また、第１ロック部材９と第２ロック部材１９には相互にコイルばね２０が掛け渡され、中扉４１が閉鎖されて、図２の時計方向に回動付勢されたとき、両部材ともに同回動し、前扉４２が閉鎖された際、係合部材３７の係合凸部３８により第２ロック部材１９の係止部１９ａが押されたときには、第２ロック部材１９のみが図２の反時計方向に回動する。さらに、図４に示すように、この第１ロック部材９の下部と前扉用施錠杆１０の間に、コイルばね２１が掛け渡され、このコイルばね２１は、第１ロック部材９を図２の反時計方向に回動付勢するように、また、前扉用施錠杆１０を施錠側（上方）に付勢するように設けられている。
【００１７】
一方、ゲーム機の中扉４１の前面に前扉４２が開閉可能に装着されるが、この前扉４２にはシリンダ錠ユニット３０が取り付けられ、シリンダ錠ユニット３０は、図６〜図９に示すように、基枠３１の取付板３２の略中央部に、シリンダ錠３６を取り付けて構成されている。基枠３１は、横断面をＬ型とした縦長のフレーム状に形成され、その正面側に取付板３２が形成され、取付板３２に複数の取付孔が穿設されている。中央部の取付板３２は幅広に形成され、この幅広部にシリンダ錠３６がその錠軸３６ａを基枠３１の内側に挿入するように取り付けられる。
【００１８】
幅広部にはシリンダ錠挿入用の開口部が形成され、その開口部の前面側からシリンダ錠３６の元部を差し込み、シリンダ錠３６のフランジ３６ｂを基枠３１の内側で固定して装着される。基枠３１は全体として取付板３２を主体として薄形に形成され、その上部と中部と下部に各々受け金具としての係止部３３，３４，３５が形成されている。この３つの係止部３３〜３５は、前扉４２を閉鎖したとき、鉤部材ユニット１の前扉用施錠杆１０の鉤部１１〜１３が係止され、その鉤部１１〜１３の対応位置に配置されている。
【００１９】
シリンダ錠３６から基枠３１の内側に突出した錠軸３６ａには、カム形状の係合部材３７が固定され、係合部材３７上には上記連結杆７の係合部７ａと係合可能な係合凸部３８が突設されている。また、係合部材３７には、上記前扉用施錠杆１０の係合部１４と係合可能な係合凸部３９が突設されている。係合凸部３８、３９はピンにより形成され、係合部材３７の前後方向背面側に突出すように突設されている。また、シリンダ錠３６には、錠軸３６ａつまり係合部材３７を時計方向と反時計方向の両側に回したとき、原位置に復帰するためのばね部材が内蔵され、シリンダ錠３６に差し込んだ鍵を時計方向または反時計方向に回したとき、原位置（鍵を差し込む位置）に錠軸３６ａつまり係合部材３７がそのばね力により戻るようにしている。
【００２０】
なお、上記シリンダ錠ユニット３０においては、基枠３１に一体的に係止部３３〜３５を形成したが、これらを別個の部品として形成し、前扉４２の所定位置に取り付けることもできる。
【００２１】
上記のように構成された施錠装置の鉤部材ユニット１は、図１０に示すように、ゲーム機の中扉４１内にその鉤部材５，６を背面側つまり筐体４０側に向けて、縦に基枠体２の取付板３を固定して取り付けられる。また、筐体４０側には、その鉤部材５，６に対応して受け金具４３，４４が固定される。なお、ゲーム機の筐体４０の前面には、中扉４１が開閉可能に取り付けられ、中扉４１の前面に前扉４２が開閉可能に取り付けられている。また、筐体４０内には、中扉４１の閉鎖時に、鉤部材ユニット１の第１ロック部材９の当て部９ａが当接する固定部４５が設けられる。
【００２２】
一方、上記シリンダ錠ユニット３０は、その前扉４２の内側にその基枠３１の取付板３２を固定して取り付けられる。このとき、シリンダ錠ユニット３０の内側を向いて配設された係合部材３７の係合凸部３８，３９は、鉤部材ユニット１の係合部７ａ、１４に対応した位置に配置され、シリンダ錠３６は、その先端を前扉４２の正面側に露出して配置される。
【００２３】
図１０の状態から中扉４１を閉じる場合、中扉４１を筐体４０に対し、押して閉じれば、鉤部材ユニット１の上下の鉤部材５、６が筐体４０の受け金具４３，４４に接触して下側に傾動し、鉤部材５、６の係合凹部に受け金具４３，４４の縁部が入ったところで、コイルばね２１の付勢力によって連結杆７を介して鉤部材５、６が水平位置に戻り、その受け金具４３，４４に係止され施錠される（図１１，１２）。
【００２４】
施錠状態においては、図１２のように、鉤部材ユニット１の第１ロック部材９の当て部９ａが筐体４０側の固定部４５に当接して、第１ロック部材９と第２ロック部材１９が内側に回動し、第２ロック部材１９の係止部１９ａが施錠状態にあるシリンダ錠ユニット３０の係合部材３７の係合凸部３８の真下に位置するため、針金などで不正に連結杆７が解錠方向（上方）に移動させられた場合でも、連結杆７はこの第２ロック部材１９と係合凸部３８の係合によって移動できず、不正解錠を防止することができる。
【００２５】
また、連結杆７に取り付けられるロック部材は、第１ロック部材９と第２ロック部材１９に分けて組み付けられているから、図１１に示すように、中扉４１が筐体４０に施錠された状態で、前扉４２を閉鎖したとき、シリンダ錠ユニット３０の係合部材３７の係合凸部３８が第２ロック部材１９の係止部１９ａに当接しても、第２ロック部材１９が図５の反時計方向に回動して逃げ、係合凸部３８を図１２に示すような正常位置に進入させることができる。
【００２６】
さらに、この際、係合部材３７の他方の係合凸部３９において、前扉４２の閉鎖時に、係合凸部３９が前扉用施錠杆１０のロック部材１７の係止部１７ａに当接したとき、ロック部材１７が図１０，１１の時計方向に回動して逃げ、係合凸部３９を図１２に示すような正常位置に進入させることができる。さらに、図１２のような施錠状態においては、前扉用施錠杆１０のロック部材１７の係止部１７ａの真下に係合凸部３９が位置するため、針金などで不正に前扉用施錠杆１０が解錠方向（下方）に移動させられた場合でも、前扉用施錠杆１０はこのロック部材１７の係止部１７ａが係合凸部３９に当たって移動できず、不正解錠を防止することができる。
【００２７】
中扉４１を解錠する場合は、図１３に示すように、前扉４２のシリンダ錠３６に鍵を差し込み、シリンダ錠３６の錠軸を右側に回す。このとき、係合部材３７が同方向に回転し、その係合部材３７の係合凸部３８が、鉤部材ユニット１側の連結杆７の係合部７ａを押し上げるように動作して連結杆７を上方に摺動させる。これにより、鉤部材ユニット１の上下の鉤部材５、６が軸ピン５ａ、６ａを軸に下方に傾動し、筐体４０側に設けた受け金具４３，４４との係合が外れ、中扉４１は解錠される（図１３）。
【００２８】
一方、前扉４２を解錠する場合は、図１４に示すように、シリンダ錠３６の鍵穴に鍵を差し込み、鍵を左側に回して錠軸に固定された係合部材３７を同方向に回動させる。このとき、係合部材３７の係合凸部３９が鉤部材ユニット１の前扉用施錠杆１０の係合部１４を押し下げるように動作して、前扉用施錠杆１０を下方に摺動させる。これにより、前扉用施錠杆１０の鉤部１１，１２，１３が下方に摺動し、前扉４２のシリンダ錠ユニット３０の係止部３３，３４，３５との係合が外れ、前扉４２は解錠される（図１４）。
【００２９】
このように、ゲーム機の中扉４１に鉤部材ユニット１が取り付けられ、中扉４１の正面側に装着された前扉４２にシリンダ錠ユニット３０を取り付け、鉤部材ユニット１とシリンダ錠ユニット３０を結合させて前扉４２を中扉４１に施錠し、且つ鉤部材ユニット１を用いて中扉４１を筐体４０に対し施錠するように構成されるため、ガラス枠ともなる前扉４２を中扉４１と同程度に大型化することができ、前扉４２の設計の自由度を高めることができる。また、シリンダ錠３６は、前扉４２に配置されるため、前扉４２を開く場合、通常の扉と同様に、そのシリンダ錠３６に鍵を差し込んで解錠するため、施錠・解錠の操作がしやすいという効果がある。また、筐体４０に対し中扉４１と前扉４２が施錠された状態であれば、シリンダ錠３６の鍵を右に回すことにより、前扉付きの中扉４１を解錠して開くことができ、１つのシリンダ錠３６で正面から中扉４１と前扉４２の解錠を行うことができる。また、中扉４１に取り付けられる鉤部材ユニット１においては、通常装着されているシリンダ錠３６と係合部材３７を外した構造としているから、その分の重量を軽量化することができる。
【００３０】
以上説明したように、本発明のゲーム機の施錠装置は、鉤部材ユニットとシリンダ錠ユニットから構成され、中扉に連結杆と鉤部材および前扉用施錠杆を設けた鉤部材ユニットが取り付けられ、前扉にシリンダ錠を取り付けたシリンダ錠ユニットが取り付けられるように、２つのユニットに分けて構成したから、従来の施錠装置のように受け金具以外の全ての部材を取り付けた施錠装置本体を前面枠の内側に取り付ける場合に比べ、鉤部材ユニットの大きさ及び重さを、小形でより軽量とすることができる。これにより、中扉の全重量を軽量化することができ、比較的小さい操作力で中扉及び前扉の開閉を楽に行うことができる。
【００３１】
また、シリンダ錠を有するシリンダ錠ユニットはゲーム機の前面の前扉にそのシリンダ錠を前面に露出して取り付けられるから、前面枠の内側にガラス枠を開閉可能に取り付けた従来のパチンコ機のように、シリンダ錠の位置を外すためにガラス枠を小形にする必要はなく、ゲーム機の前扉は内側にガラス枠を装着しながら中扉及び筐体の前面を大きく覆うように大型に形成することも可能となり、前扉の設計の自由度を向上させることができる。
【図面の簡単な説明】
【００３２】
【図１】本発明の一実施形態を示す鉤部材ユニットの正面図である。
【図２】同鉤部材ユニットの左側面図である。
【図３】同装鉤部材ユニットの右側面図である。
【図４】同装鉤部材ユニットの分解図である。
【図５】第１ロック部材と第２ロック部材の拡大図である。
【図６】シリンダ錠ユニットの正面図である。
【図７】同シリンダ錠ユニットの左側面図である。
【図８】同シリンダ錠ユニットの右側面図である。
【図９】同シリンダ錠ユニットの背面図である。
【図１０】施錠装置を取り付けたゲーム機の筐体、中扉、前扉の開放状態における部分断面図である。
【図１１】同ゲーム機の中扉をとじて前扉を開放した状態の部分断面図である。
【図１２】ゲーム機の筐体、中扉、前扉を閉鎖した状態の部分断面図である。
【図１３】中扉を解錠する際の左側面図である。
【図１４】前扉を解錠する際の左側面図である。
【符号の説明】
【００３３】
１−鉤部材ユニット
２−基枠体
３−取付板
４―支持板
５、６−鉤部材
７-連結杆
７ａ-係合部
９-第１ロック部材
９ａ-当て部
１０-前扉用施錠杆
１１〜１３-鉤部
１４-係合部
１７-ロック部材
１９-第２ロック部材
１９ａー係止部
３０−シリンダ錠ユニット
３３，３４，３５-係止部
３６-シリンダ錠
３７-係合部材
３８，３９-係合凸部
４０−筐体
４１−中扉
４２-前扉
【図１】
0004648636.tif 000002
【図２】
0004648636.tif 000003
【図３】
0004648636.tif 000004
【図４】
0004648636.tif 000005
【図５】
0004648636.tif 000006
【図６】
0004648636.tif 000007
【図７】
0004648636.tif 000008
【図８】
0004648636.tif 000009
【図９】
0004648636.tif 000010
【図１０】
0004648636.tif 000011
【図１１】
0004648636.tif 000012
【図１２】
0004648636.tif 000013
【図１３】
0004648636.tif 000014
【図１４】
0004648636.tif 000015